(57)【要約】  電気化学的エネルギー貯蔵装置（２）の縁辺部を成すためのプロフィールストリップ（１）は、長手方向に延在する、少なくとも１つの第１スリット（４）を備え、当該第１スリットは、第１辺部（５）と第２辺部（６）とによって画定される。第１辺部と第２辺部（５，６）とは、電気化学的エネルギー貯蔵装置（２）の縁部領域（７）の向かい合う側に着設可能なように、かつ背面部分（１０）によって少なくとも部分的に互いに接合されているように、形成されている。
2013506236.tif 000002
【特許請求の範囲】
【請求項１】
電気化学的エネルギー貯蔵装置（２）の縁辺部を成すためのプロフィールストリップ（１）において、
該プロフィールストリップ（１）は、ほぼ長手方向に延在する、少なくとも１つの第１スリット（４）を備え、該第１スリットは、第１辺部（５）と第２辺部（６）とによって画定され、
該第１辺部と該第２辺部とは、前記電気化学的エネルギー貯蔵装置（２）の縁部領域（７）の向かい合う側に着設可能なように、かつ背面部分（１０）によって少なくとも部分的に互いに接合されているように形成されていることを特徴とするプロフィールストリップ。
【請求項２】
前記プロフィールストリップ（１）は、少なくとも部分的に、たとえばポリ塩化ビニル（ＰＶＣ）、ポリエチレン（ＰＥ）あるいはポリウレタン（ＰＵ）のような、電気的に絶縁性のあるプラスチックから作られているか、あるいは該プラスチックで覆われていることを特徴とする請求項１に記載のプロフィールストリップ。
【請求項３】
前記プロフィールストリップ（１）は、一体的に形成されていることを特徴とする請求項１あるいは２に記載のプロフィールストリップ。
【請求項４】
前記プロフィールストリップ（１）は、第１の伸びた状態あるいは第２の屈曲した状態を備えることを特徴とする請求項１から３のいずれか一項に記載のプロフィールストリップ。
【請求項５】
前記プロフィールストリップは少なくとも１つの第１凹部（１２）を備え、該第１凹部（１２）は、前記プロフィールストリップ（１）を前記第１の伸びた状態から前記第２の屈曲した状態に移行させるために備えられていることを特徴とする請求項４に記載のプロフィールストリップ。
【請求項６】
前記プロフィールストリップ（１）の前記第１凹部（１２）は、前記第１スリット（４）に始まって前記背面部分（１０）の方向に延伸することを特徴とする請求項５に記載のプロフィールストリップ。
【請求項７】
前記プロフィールストリップ（１）は、その背面部分（１０）に少なくとも１つの第２凹部（１６）を備え、少なくとも１つの電流導体（１４）が前記第２凹部（１６）を通過可能であることを特徴とする請求項１から６のいずれか一項に記載のプロフィールストリップ。
【請求項８】
電気化学的エネルギー貯蔵装置（２）であって、少なくとも
１つの電極積重物（１３）と、
１つの電流導体（１４）であって、前記電極積重物（１３）と導電接合されている電流導体（１４）と、
薄壁状の複合材料から成る１つの被覆体（１５）であって、前記電極積重物（１３）を少なくとも部分的に取り囲み、かつ自らの縁部領域に少なくとも１つの縁辺部（１７）を備える被覆体（１５）と、
を有する電気化学的エネルギー貯蔵装置（２）において、
請求項１から７の少なくともいずれか一項に記載のプロフィールストリップ（１）が、前記被覆体（１５）の領域を覆い、かつ該領域と少なくとも部分的に、材料接続的にあるいは力接続的に接合されていることを特徴とする電気化学的エネルギー貯蔵装置（２）。
【請求項９】
前記プロフィールストリップ（１）は、前記被覆体（１５）に垂直抗力を及ぼすように形成されていることを特徴とする請求項８に記載の電気化学的エネルギー貯蔵装置（２）。
【請求項１０】
少なくとも１つの電流導体（１４）が、力接続的に、形状接続的におよび／あるいは材料接続的に前記プロフィールストリップ（１）と接合されていることを特徴とする請求項８あるいは９に記載の電気化学的エネルギー貯蔵装置（２）。
【請求項１１】
請求項８から１０の少なくともいずれか一項に記載の少なくとも２つの電気化学的エネルギー貯蔵装置を有するバッテリーであって、前記エネルギー貯蔵装置はプロフィールストリップ（１）を備え、その結果前記エネルギー貯蔵装置（２）の前記被覆体（１５）が互いに実質的に力を及ぼし合わないバッテリーにおいて、
隣り合う２つの電気化学的エネルギー貯蔵装置（２）の前記プロフィールストリップ（１）は、さらなる構成部材なしに、形状接続的に、力接続的におよび／あるいは材料接続的に互いに接合されていることを特徴とするバッテリー。
【請求項１２】
請求項８から１０の少なくともいずれか一項に記載の少なくとも２つの電気化学的エネルギー貯蔵装置を有するバッテリーにおいて、
隣り合う２つの電気化学的エネルギー貯蔵装置の２つのプロフィールストリップ（１）は、接合要素（２０）によって、形状接続的に、力接続的におよび／あるいは材料接続的に互いに接合されており、２つの電気化学的エネルギー貯蔵装置の間に、分離要素（１９）が設けられていることを特徴とするバッテリー。
【請求項１３】
請求項１から７のいずれか一項に記載の、電気化学的エネルギー貯蔵装置（２）のためのプロフィールストリップ（１）の製造方法において、
少なくとも１つの第１凹部（１２）が、適切な方法によって前記プロフィールストリップ（１）に作られ、前記第１凹部（１２）の形状は好適には、前記プロフィールストリップ（１）が、第１のまっすぐな状態から第２の屈曲した状態に移行可能なように構成され、かつ、
前記プロフィールストリップ（１）は、第１の伸びた状態から第２の屈曲した状態に移行させられ、この屈曲の際には、背面部分（１０）の領域において前記プロフィールストリップ（１）の抗張力を超えないことを特徴とする方法。
【請求項１４】
前記プロフィールストリップ（１）は、屈曲した後、前記第１凹部（１２）の領域で少なくとも部分的に、材料接続的に接着あるいは溶接によって接合されることを特徴とする請求項１３に記載の方法。
【請求項１５】
前記プロフィールストリップ（１）は、屈曲した後、前記第１凹部（１２）の領域で少なくとも部分的に、形状接続的に接合されることを特徴とする請求項１３に記載の方法。
【発明の詳細な説明】
【技術分野】
【０００１】
本願発明は、プロフィールストリップと、このプロフィールストリップを有する電気化学的エネルギー貯蔵装置と、この電気化学的エネルギー貯蔵装置を有するバッテリーと、このプロフィールストリップの製造方法とに関する。
【背景技術】
【０００２】
本発明は、自動車の駆動装置に電力供給するためのリチウムイオンバッテリーとの関連で記述される。しかし、本発明はまた、バッテリーの構造に関係なくあるいは電力供給される駆動装置の種類に関係なく使用され得ることを指摘しておく。
【０００３】
電気化学的エネルギー貯蔵装置は反応物質を含有し、それゆえ安全駆動は、たとえば周囲の世界とこの反応物質との制御されない反応が防がれる場合にのみ可能である。
【０００４】
電気化学的エネルギー貯蔵装置の被覆体は、当該被覆体内部にある反応物質を、被覆体を取り囲む周囲の世界に対して仕切っている。それにより、被覆体によって、物質が制御されずに、電気化学的エネルギー貯蔵装置から漏れ出すこと、もしくは電気化学的エネルギー貯蔵装置に入り込むことを防ぐ。それにより、被覆体によって、一方では電気化学的エネルギー貯蔵装置の安全な駆動が支援され、他方では電気化学的エネルギー貯蔵装置からの物質による汚染から周囲の世界が保護される。この被覆体の、特に危険に晒される領域は、その縁部領域である。
【０００５】
被覆体の、危険に晒されるこの領域への外部からの負担を少なくとも低減する装置によって、電気化学的エネルギー貯蔵装置の安全性を向上させることができる。
【０００６】
自動車の駆動装置に電力供給するための複数の電気化学的エネルギー貯蔵装置を有するバッテリーが知られている。いくつかの構造には、このバッテリーの周囲が、電気化学的エネルギー貯蔵装置の故障後に、セルの中身が流出することによっても危険に晒されるということが共通している。
【発明の概要】
【発明が解決しようとする課題】
【０００７】
それゆえ本発明の課題は、電気化学的エネルギー貯蔵装置の安全性を高めることである。
【課題を解決するための手段】
【０００８】
本発明に従えば、これは、独立請求項の教示によって達成される。本発明の好ましいさらなる形態は、従属請求項の対象である。
【０００９】
本発明に係るプロフィールストリップは好適には、電気化学的エネルギー貯蔵装置の縁辺部を保護するために用いられる。プロフィールストリップは、ほぼ長手方向に延在する、少なくとも１つの第１スリットを備える。このスリットは、第１辺部と第２辺部とによって画定される。これらの第１辺部と第２辺部とは、電気化学的エネルギー貯蔵装置の縁部領域の向かい合う側に着設可能なように、形成されている。
【００１０】
本発明に係る電気化学的エネルギー貯蔵装置は、少なくとも１つの電極積重物と、１つの電流導体であって、電極積重物と導電接合されている電流導体と、薄壁状の複合材料から成る１つの被覆体であって、電極積重物を少なくとも部分的に取り囲みかつ自らの縁部領域に少なくとも１つの縁辺部を備える被覆体とを含有する。この電気化学的エネルギー貯蔵装置では、本発明に係るプロフィールストリップが、この被覆体の少なくとも１つの領域を覆う。
【００１１】
本発明に係るバッテリーは、少なくとも２つの電気化学的エネルギー貯蔵装置を含有する。これらの電気化学的エネルギー貯蔵装置は好ましくは、互いにほぼ平行して設けられており、その被覆体の縁部領域に、本発明に係るプロフィールストリップを備える。その際、本発明に係るこれらのプロフィールストリップは、エネルギー貯蔵装置の被覆体が互いにほぼ力を及ぼし合わないように、構成されている。電気化学的エネルギー貯蔵装置は、互いに電気的に相互接続されるよう備えられている。
【００１２】
電気化学的エネルギー貯蔵装置のためのプロフィールストリップの、本発明に係る製造方法は、様々な製造ステップを特徴とする。本発明に係るプロフィールストリップに、少なくとも１つの第１凹部が、適切な方法によって作られる。この第１凹部の形状は好適には、ほぼ三角形の形態を備える。この第１凹部は、本発明に係るプロフィールストリップを屈曲させるために備えられている。本発明に係るプロフィールストリップの屈曲によって、当該プロフィールストリップは、第１のまっすぐな状態から第２の屈曲した状態に移行させられる。その際屈曲のプロセスは、本発明に係るプロフィールストリップの抗張力を超えないように、実施される。
【００１３】
本発明に係る電気化学的エネルギー貯蔵装置は、少なくとも１つのプロフィールストリップを備える。好適には、本発明の主旨でのプロフィールストリップとは、好ましくは電気的に絶縁性のある材料あるいは少なくとも電気的に絶縁性のある層で覆われた材料から成る、実質的に薄壁状の物体と理解され得る。このプロフィールストリップは少なくとも、１つあるいは複数の領域において、定義された断面を備える。
【００１４】
この断面は、好ましい実施形態においては、第１辺部と、第２辺部と、背面部分とを備える。好適にはこの背面部分は、この第１辺部をこの第２辺部と接合する。
【００１５】
この第１辺部は、好適にはこの第２辺部とほぼ向かい合っている。両辺部は、第１スリットの縁辺部を成す。この第１辺部は、この第２辺部とこの背面部分と共に、好適にはほぼＵ字型の薄壁状の基体を形成する。
【００１６】
好ましい実施形態においては、プロフィールストリップは、ただ１つの部材から成る。さらなる実施形態においては、プロフィールストリップは、複数の部材、好適には第１辺部と第２辺部と背面部分とから成る。好ましくは、これらの部材は、形状接続的あるいは材料接続的に互いに接合される。プロフィールストリップを一体的に実施することによって、特に簡単かつ安全にプロフィールストリップを被覆体に取り付けることが達成される。
【００１７】
プロフィールストリップが、角あるいは半径によって特徴付けられる、被覆体の縁部領域部分を覆うのであれば、プロフィールストリップも好ましくは、縁部領域に続く形状で形成される。そのためにプロフィールストリップは、この縁部領域部分に少なくとも領域によっては適合された特徴的形で作られるか、あるいはプロフィールストリップは、第１の伸びた状態から、１回あるいは複数回屈曲した第２の状態に移行させられる。プロフィールストリップを記述された形状で屈曲できるようにするために、プロフィールストリップには、１つあるいは複数の第１凹部が備えられる。この成形によってプロフィールストリップは、角あるいは半径によって特徴付けられる、被覆体の縁部領域を、少なくとも領域によっては覆うことができる。
【００１８】
第１凹部とは、第１スリットで始まってこの背面部分への方向に延伸する、プロフィールストリップの材料のない空間と理解され得る。好ましい実施形態においては、この第１凹部は、ほぼ三角形の形状を備える。そのような第１凹部は、一般的に窓枠あるいは額縁によって知られており、マイターカットと呼ばれる。
【００１９】
プロフィールストリップはその第２の状態において、少なくとも１つの折れ目を備える。この折れ目の前後を長手方向に見て、プロフィールストリップは少なくとも領域によっては直線状に延在する。
【００２０】
電気化学的エネルギー貯蔵装置は、少なくとも１つの電極積重物と、電流導体と、被覆体と、プロフィールストリップとを備える。
【００２１】
電極積重物とは、少なくとも２つの電極と、２つの電極の間にそれぞれ設けられた電解質とを有する構造体と理解され得る。電極積重物はその際、化学エネルギーを貯蔵しかつそれを電気エネルギーに変換するために用いられる。逆に電極積重物は、再充電可能なバッテリーの場合には、電気エネルギーから化学エネルギーへの変換にも用いられる。
【００２２】
本件では、被覆体とは、化学物質が電極積重物から周囲に漏れ出すのも防ぐ装置と理解され得る。さらに被覆体は、好適には電極積重物の化学的構成要素を、周囲との望ましくない相互作用から保護する。たとえば被覆体は、電極積重物を、周囲からの水あるいは水蒸気の進入から保護する。好ましくは被覆体は、ホイル状に形成されている。被覆体は、熱エネルギーの流出をできるだけ阻害しないようにすべきである。本件では、被覆体は、１つあるいは複数の成形部品好適には２つの成形部品を備える。好ましくは被覆体は、少なくとも部分的に、電極積重物の形態に適合されており、当該電極積重物を取り囲む。
【００２３】
本件では、取り囲むとは、被覆体の１つあるいは複数の成形部品が、第２の成形部品あるいはそれ自身と、領域によっては接触させられることと理解され得る。その際電極積重物は、成形部品の、関係する表面の間に載置される。１つあるいは複数のこの成形部品は、好適には少なくとも、被覆体を画定する縁部領域に沿ってもしくは１つあるいは複数の関係する成形部品の縁辺部に沿って、領域によっては平面で接する。
【００２４】
本発明の主旨においては、縁辺部として、被覆体の直接の縁部領域が理解され得る。縁辺部は、被覆体を取り巻いて延在する。好ましくは、縁辺部を通って、電極積重物の電流導体が、被覆体の内部から外部に向かってガイドされる。
【００２５】
本件では、電流導体とは、実質的に電極と電気消費物との間の電子の流れを可能にする装置と理解され得る。電流導体は、電極もしくは電極積重物のアクティブな電極集合体と、さらには接続ケーブルと電気的に接合されている。電流導体の形態は、電気化学的エネルギー貯蔵装置もしくは電極積重物の形態と適合されている。好適には電流導体は、プレート型あるいはホイル状に形成されている。好ましくは電極積重物の各電極は自らの電流導体を備え、もしくは同じ極性の電極が、共通の電流導体と接合されている。
【００２６】
プロフィールストリップは好ましくは、縁辺部の領域で、被覆体に取り付けられる。それによってプロフィールストリップは、１つあるいは複数の成形部品の表面が接し合う、被覆体の領域を覆う。外部からの負担はそれによって、もはやこの縁辺部に直接作用せず、プロフィールストリップに作用する。プロフィールストリップによって、被覆体の縁部領域は、少なくとも部分的に負荷が軽くなる。
【００２７】
プロフィールストリップから被覆体への移行領域において、プロフィールストリップは、好適には少なくとも１つの屈折したあるいは丸くなった縁を備える。この縁のこのような形態によって、プロフィールストリップから被覆体に誘導される接触応力は、角の尖った特徴的形に比べて、小さくなる。被覆体での接触応力が小さくなることによって、被覆体から制御されずに物質が漏れ出すことに対する、かつ被覆体に制御されずに物質が入り込むことに対する安全性を高めることを達成する。
【００２８】
特に好ましい実施形態においては、プロフィールストリップは、ほぼＵ字型の断面を備え、被覆体の縁辺部全体を覆う。縁辺部の領域で被覆体から漏れ出た材質は、まずプロフィールストリップに達し、それによって周囲と直接相互に作用することができない。それによって、電気化学的エネルギー貯蔵装置の安全性がさらに高まる。
【００２９】
好ましい実施形態においては、プロフィールストリップは、ほぼＵ字型の断面を有して実施される。その際この断面は好ましくは、少なくとも部分的に向かい合う２つの辺部の間の距離が、被覆体の縁辺部の領域における当該被覆体の厚さよりも小さくなるように、構成される。少なくとも部分的に向かい合う第１辺部と第２辺部とを有するＵ字型のプロフィールストリップの領域はそれによって、縁辺部の領域において被覆体の表面に垂直抗力を及ぼす。その際垂直抗力は本質的に、縁辺部の近傍の被覆体の２つの表面領域を少なくとも領域によっては互いに押圧するように向けられている。この垂直抗力によって、付加的な強度を達成することができ、ひいては電気化学的エネルギー貯蔵装置の安全性を高めることができる。
【００３０】
好ましい実施形態においては、プロフィールストリップは、被覆体と材料接続的に接合されている。材料接続的な接合とは、好適には被覆体とプロフィールストリップとの接着あるいは溶接と理解され得る。被覆体とプロフィールストリップとの材料接続的な接合によって、電気化学的エネルギー貯蔵装置の安全性がさらに高まる。プロフィールストリップと被覆体との材料接続的な接合は、プロフィールストリップが、わずかな機械的負担によって被覆体から部分的にあるいは完全に分離することを防ぐ。プロフィールストリップを被覆体に確実に固定することによって、電気化学的エネルギー貯蔵装置の全寿命の間、プロフィールストリップの効果が引き続き保たれる。
【００３１】
好ましい実施形態においては、プロフィールストリップは、第２凹部を備える。第２凹部は、当該第２凹部を貫いて電流導体をガイドするために備わっている。特に好ましい実施形態では、第２凹部の形状と数は、電流導体の形状と数とほぼ同一である。電気化学的エネルギー貯蔵装置の安全性を高めるために、好ましい形態においては、１つあるいは複数の電流導体が、１つあるいは複数の第２凹部を通ってガイドされる。その際好適には、それぞれ１つの電流導体が、１つの第２凹部を通ってガイドされる。第２凹部の領域では、それぞれ電流導体が、力接続的にあるいは材料接続的にあるいは形状接続的に、プロフィールストリップと接合される。
【００３２】
外部から電流導体に作用する力は、少なくとも部分的に、プロフィールストリップによって受容される。このように力の向きを変えることによって、電流導体が被覆体を通る領域は、機械的に負荷が軽くなる。同様に、電流導体が電極積重物と接合されている領域も、負荷が軽くなる。これらの接合領域の負荷が軽くなることによって、電気化学的エネルギー貯蔵装置の安全性が高まる。
【００３３】
バッテリーとは、本発明の主旨においては、２つあるいは複数の電気化学的エネルギー貯蔵装置を備える装置と理解され得る。その際電気化学的エネルギー貯蔵装置の数と、バッテリー内でのそれらの電気的相互接続のやり方は、バッテリーに課せられる要求次第である。そのようなバッテリーに含まれる電気化学的エネルギー貯蔵装置は好適には、本発明に係るプロフィールストリップが装備されている。特に、エネルギー貯蔵装置の安全性が、このプロフィールストリップによって高められる。
【００３４】
プロフィールストリップの断面は好ましくは、少なくとも、互いにほぼ平行して設けられている２つの電気化学的エネルギー貯蔵装置の被覆体が、直接互いに力を及ぼし合わないように、構成されている。被覆体への力の作用によって、電気化学的エネルギー貯蔵装置内部の圧力が増す。それによって被覆体は、当該被覆体にかけられた力と、被覆体内で引き起こされた圧力とによって、負担をかけられる。プロフィールストリップによって、被覆体への外部からの力の作用が減少すれば、ひいては電気化学的エネルギー貯蔵装置の安全性の向上がもたらされる。
【００３５】
プロフィールストリップの断面は好ましくは、互いにほぼ平行して設けられている２つのエネルギー貯蔵装置が、そのプロフィールストリップによって、形状接続的に、力接続的におよび／あるいは材料接続的に接合可能であるように、構成されている。隣り合う２つの電気化学的エネルギー貯蔵装置のプロフィールストリップは好適には、１つの共通する接合領域を形成する。この接合領域においては、隣り合う２つのプロフィールストリップは、少なくとも部分的に、材料接続的に、あるいは好ましくは力接続的に、あるいは特に好ましくは形状接続的に、互いに接合されている。この種の接合によって、少なくとも２つの電気化学的エネルギー貯蔵装置は、簡単に、構造上のユニットを形成する。そのような機械的ユニットの簡単な構造は、電気化学的エネルギー貯蔵装置の安全性の向上に寄与する。
【００３６】
好適にはプロフィールストリップの断面は、互いにほぼ平行して設けられている２つの電気化学的エネルギー貯蔵装置が、接合要素によって、構造上のユニットに接合可能であるように、構成されている。好適には、少なくとも１つのプロフィールストリップを有する接合要素は、接合領域を形成する。好ましくは、プロフィールストリップを有する接合要素は、この接合領域において、少なくとも部分的に、材料接続的に、あるいは好ましくは力接続的に、あるいは特に好ましくは形状接続的に、接合されている。２つの電気化学的エネルギー貯蔵装置の間には、好適には分離要素が置かれている。分離要素は好適には、すくなくとも１つの電気化学的エネルギー貯蔵装置の被覆体と接触する。接合要素は好適には、材料接続的に、あるいは好ましくは形状接続的に、あるいは特に好ましくは力接続的に、分離要素と接合されている。好適には、この分離要素によって、電気化学的エネルギー貯蔵装置の被覆体からこの接合要素への熱伝導が達成される。電気化学的エネルギー貯蔵装置の熱管理を改善することによって、当該電気化学的エネルギー貯蔵装置の安全性が高まる。
【００３７】
電気化学的エネルギー貯蔵装置のためのプロフィールストリップの製造方法とは、本発明の主旨においては、第１凹部をプロフィールストリップに作り、プロフィールストリップを屈曲させ、任意的にこの第１凹部のスリット面を接合させることと理解され得る。
【００３８】
その際第１凹部の形状と、折り畳みのプロセスとは、好適には、プロフィールストリップの抗張力を超えないように構成される。たとえば、折り畳むためにプロフィールストリップを加熱してよい。それによってプロフィールストリップは、一体的な要素として引き続き保たれる。プロフィールストリップの一体的な特徴的形は、被覆体に取り付ける際にプロフィールストリップの取り扱いを容易にする。
【００３９】
本方法の好ましい特徴的形においては、プロフィールストリップを屈曲させた後に、生じた角継手が、好ましくは接着あるいは特に好ましくは溶接によって、材料接続的に接合される。１つあるいは複数の角継手の材料接続的な接合によって、プロフィールストリップの剛性が増す。それによって、プロフィールストリップに外部からもたらされる負担は、材料接続的にあるいは形状接続的に接合されてはいない角継手を有するプロフィールストリップに比べて、これによってより良好に受容され、かつ被覆体にそれほど強くは伝達されない。１つあるいは好ましくは複数の角継手の材料接続的な接合は、電気化学的エネルギー貯蔵装置の密閉を改善する。記述されたやり方での製造による、プロフィールストリップの剛性の向上と密閉の改善とは、ひいては電気化学的エネルギー貯蔵装置の安全性を高める。
【００４０】
それによって、本発明に係る電気化学的エネルギー貯蔵装置の中身が漏れ出すことを防ぎ、電気化学的エネルギー貯蔵装置に望ましくない物質が進入することを防ぎ、かつ基礎となる課題が解決される。
【００４１】
本願発明のさらなる利点と実施形態とは、添付の図からもたらされる。図に示されるのは以下である。
【図面の簡単な説明】
【００４２】
【図１】複数回屈曲したプロフィールストリップを有する、模範的な電気化学的エネルギー貯蔵装置であって、断面図Ａ−Ａは、プロフィールストリップと、電極積重物の被覆体と、電極積重物との模範的な断面を示している。
【図２】模範的にプロフィールストリップを通ってガイドされる電流導体と、当該電流導体とプロフィールストリップとの材料接続的な接合である。
【図３】まっすぐなプロフィールストリップにおける模範的な第１凹部と、材料接続的な角接合を有する屈曲したプロフィールストリップである。
【図４】プロフィールストリップの模範的な第２凹部と、プロフィールストリップの模範的な断面と第２凹部の位置とが分かる断面図Ｂ−Ｂとである。
【図５】本発明に係るプロフィールストリップを有する２つの電気化学的エネルギー貯蔵装置から成る、模範的なバッテリーである。
【図６】被覆体の一部と、当接ラインと接合ラインと第１自由端部とを有する被覆体の模範的な断面とである。
【図７ａ】弓状のマイターカットである。
【図７ｂ】階段状のマイターカットである。
【図８ａ】形状接続的に互いに接合された２つのプロフィールストリップである。
【図８ｂ】接合要素を介して互いに接合された２つのプロフィールストリップである。
【発明を実施するための形態】
【００４３】
まず本発明は、図１と図２とに基づく例で明示される。
【００４４】
図１は、プロフィールストリップ１によって取り囲まれている電気化学的エネルギー貯蔵装置２を示している。電気化学的エネルギー貯蔵装置２を取り囲むために、プロフィールストリップ１は、伸びた第１の状態から、屈曲した第２の状態に移行させられる。図１は、複数回屈曲したプロフィールストリップ１を示している。
【００４５】
この実施形態においてはほぼＵ字型のプロフィールストリップ１は、縁辺部１７の領域において、電気化学的エネルギー貯蔵装置の被覆体１５に取り付けられている。プロフィールストリップ１の断面３は、この実施形態においては、第１辺部５と第２辺部６とを備え、これら２つの辺部は、背面部分１０によって互いに接合されている。その際両辺部は、被覆体１５の表面に力を及ぼすように構成されている。プロフィールストリップ１によって及ぼされる力により、被覆体１５は、その縁辺部１７の領域において押し付けられるに至る。プロフィールストリップ１の両辺部は、プロフィールストリップ１が、被覆体１５との接触領域において、鋭角の縁を備えないように構成されている。この形態によって、両辺部によって被覆体１５に及ぼす負担が小さく保たれる。プロフィールストリップ１は、その第１辺部と第２辺部５，６の領域において、たとえば材料接続的に被覆体１５と、接着によって接合されている。
【００４６】
所定の箇所で、２つの第２凹部１６がプロフィールストリップ１に取り付けられている。それぞれ１つの第２凹部１６は、それぞれ１つの電流導体１４をガイドする。電流導体１４は、この実施形態においては、材料接続的にプロフィールストリップ１と接合されている。この接合は、図２において表わされている。図４は、プロフィールストリップ１における第２凹部１６を示している。第２凹部１６の形状と大きさとは、当該第２凹部１６を通ってガイドされている電流導体１４の形状と大きさとを元に決定される。その際第２凹部１６の形状は、プレート型の電流導体１４（図示されず）を受容するのに適するように、構成されている。
【００４７】
図３には、プロフィールストリップ１における第１凹部１２が表わされている。第１凹部１２は、プロフィールストリップ１を第１の伸びた状態から第２の屈曲した状態に移行させるために備えられている。一般的にそのような凹部は、マイターあるいはマイターカットと呼ばれる。
【００４８】
図３で表わされている実施形態においては、直線状のマイターカットが表されている。図７ａと図７ｂにおいては、マイターカットの考えられ得るさらなる実施形態が表されている。図７ａに表わされている、マイターカットの実施形態では、利用可能な接合面が拡大される。これは特に、材料接続的な接合のために有利である。
【００４９】
図７ｂに表わされているマイターカットは、形状接続的なマイター接合を行うために備えられている。そのようなマイターカットを有するプロフィールストリップ１の角継手は、雌型／雄型の原理に従って接合されている。形状接続的なマイター接合は、プロフィールストリップ１の材料接続的なさらなる接合を必要としない。
【００５０】
図５は、２つの電気化学的エネルギー貯蔵装置２から構成されているバッテリーを示している。その際プロフィールストリップ１の形状は、被覆体１５が互いにほぼ力を及ぼし合わないように構成されている。両電気化学的エネルギー貯蔵装置２はそれによって、直接そのプロフィールストリップ１に沿って接触し合う。
【００５１】
図６は、プロフィールストリップ１の被覆体１５との接触領域を詳細に示している。その際認識され得るのは、第１辺部５が、被覆体との接触領域において、丸くなった縁を備えることである。この丸くなった縁は、プロフィールストリップ１と被覆体１５との間の接触領域の負荷を軽くするために用いられる。
【００５２】
図８ａはバッテリーを示しており、その際このバッテリーは２つの電気化学的エネルギー貯蔵装置２から成る。これら２つの電気化学的エネルギー貯蔵装置２は、そのプロフィールストリップ１によって直接、形状接続的に互いに接合されている。プロフィールストリップ１の断面３は、互いにほぼ平行して設けられている２つのプロフィールストリップ１が、接合領域１８を形成するように、構成されている。接合領域１８においては、プロフィールストリップ１の接合突起部９が、さらなるプロフィールストリップ１の第１窪み２１に係合する。１つのプロフィールストリップ１が別のプロフィールストリップ１に係合することによって、形状接続的な接合が生じる。プロフィールストリップ１のこの実施形態によって、複数の電気化学的エネルギー貯蔵装置２から成るブロックの構築が、簡単に可能となる。
【００５３】
図８ｂはバッテリーを示しており、その際パッテリーは、２つの電気化学的エネルギー貯蔵装置２と、接合要素２０と、分離要素１９とから成る。接合要素２０は、両プロフィールストリップ１の各々とともに接合領域１８を形成し、それによって形状接続的にこれらのプロフィールストリップ１と接合されている。２つの電気化学的エネルギー貯蔵装置２はそれによって、接合要素２０とプロフィールストリップ１とによって間接的に、形状接続的に互いに接合される。分離要素１９は、とりわけ熱伝導のために用いられる。そのために分離要素１９は、両電気化学的エネルギー貯蔵装置２の被覆体１５に接触し、力接続的に接合要素２０と接合されている。分離要素１９によって、温度の流れが、少なくとも１つの被覆体１５からあるいは被覆体１５へ誘導される。それにより分離要素１９によって、主として２つの電気化学的エネルギー貯蔵装置２の間の領域における温度管理が改善される。プロフィールストリップ１と、対応する接合要素２０とのこの実施形態によって、温度管理が改善された、複数の電気化学的エネルギー貯蔵装置２から成るブロックの構築が、簡単に可能となる。
【符号の説明】
【００５４】
１  プロフィールストリップ
２  電気化学的エネルギー貯蔵装置
３  断面
４  第１スリット
５  第１辺部
６  第２辺部
７  縁部領域
９  接合突起部
１０  背面部分
１２  第１凹部
１３  電極積重物
１４  電流導体
１５  被覆体
１６  第２凹部
１７  縁辺部
１８  接合領域
１９  分離要素
２０  接合要素
２１  第１窪み
【図１】
2013506236.tif 000003
【図２】
2013506236.tif 000004
【図３】
2013506236.tif 000005
【図４】
2013506236.tif 000006
【図５】
2013506236.tif 000007
【図６】
2013506236.tif 000008
【図７ａ）】
2013506236.tif 000009
【図７ｂ）】
2013506236.tif 000010
【図８ａ）】
2013506236.tif 000011
【図８ｂ）】
2013506236.tif 000012
【国際調査報告】
2013506236.tif 000013
2013506236.tif 000014
2013506236.tif 000015
2013506236.tif 000016